(57)【要約】【課題】移動体電話機に着信音として設定された楽曲を楽曲再生装置側で再生するにあたり、着信を確実に認識させることである。【解決手段】車載機１０が、移動体電話機３０と通信接続するＩ／Ｆ１２と、楽曲のタイトル２１１〜及び音声データ２１２〜を関連付けて記憶するＨＤＤ１３と、着信音として設定した楽曲のタイトルを記憶する着信音タイトル保存部１４と、音声出力部１９と、ＨＤＤ１３に記憶された楽曲のタイトルと、着信音タイトル保存部１４に記憶された着信音のタイトルと、が一致するか否かを判別する判別手段と、ＨＤＤ１３に記憶された楽曲のうちのタイトルが一致しないと判別された楽曲の音声データを音声出力部１９に音声出力させる楽曲再生手段と、を備える。【選択図】図１
2006277827.tif 000002
【特許請求の範囲】
【請求項１】
少なくとも一つの移動体電話機と通信接続する通信手段と、
楽曲の識別情報及び音声データを関連付けて記憶する楽曲情報記憶手段と、
着信音として設定した楽曲の識別情報を記憶する着信音情報記憶手段と、
楽曲を再生して音声出力する第１の音声出力手段と、
前記楽曲情報記憶手段に記憶された楽曲の識別情報と、前記着信音情報記憶手段に記憶された着信音の識別情報と、が一致するか否かを判別する判別手段と、
前記判別手段により前記楽曲情報記憶手段に記憶された楽曲のうちの識別情報が一致しないと判別された楽曲の音声データを前記第１の音声出力手段に音声出力させる楽曲再生手段と、
を備えることを特徴とする楽曲再生装置。
【請求項２】
前記判別手段により前記楽曲情報記憶手段に記憶された楽曲のうちの識別情報が一致しないと判別された楽曲の識別情報を有するプレイリストを生成するプレイリスト生成手段を備え、
前記楽曲再生手段は、前記楽曲情報記憶手段に記憶された楽曲のうちの前記プレイリスト生成手段により生成されたプレイリストの識別情報に対応する楽曲の音声データを前記第１の音声出力手段に音声出力させることを特徴とする請求項１に記載の楽曲再生装置。
【請求項３】
前記判別手段は、前記楽曲情報記憶手段に記憶された再生する楽曲ごとに、当該楽曲の識別情報と、前記着信音情報記憶手段に記憶された着信音の識別情報と、が一致するか否かを判別し、
前記楽曲再生手段は、前記判別手段により前記楽曲の識別情報が一致しないと判別されるごとに、当該楽曲の音声データを前記第１の音声出力手段に音声出力させることを特徴とする請求項１に記載の楽曲再生装置。
【請求項４】
情報の操作入力を受け付ける入力手段と、
前記入力手段により入力された着信音の識別情報を前記着信音情報記憶手段に記憶させる着信音情報入力設定手段と、を備えることを特徴とする請求項１から３のいずれか一項に記載の楽曲再生装置。
【請求項５】
前記移動体電話機に設定された着信音の識別情報を前記通信手段を介して受信し、当該着信音の識別情報を前記着信音情報記憶手段に記憶させる着信音情報受信設定手段を備えることを特徴とする請求項１から３のいずれか一項に記載の楽曲再生装置。
【請求項６】
前記通信手段を介して通信接続された移動体電話機の着信時に、着信音に対応する楽曲の音声データを前記第１の音声出力手段に音声出力させる第１の着信音再生手段を備えることを特徴とする請求項１から５のいずれか一項に記載の楽曲再生装置。
【請求項７】
前記移動体電話機と、
請求項１から６のいずれか一項に記載の楽曲再生装置と、を備えることを特徴とする楽曲再生システム。
【請求項８】
前記移動体電話機は、
楽曲を再生して音声出力する第２の音声出力手段と、
着信時に、着信音に対応する楽曲の音声データを前記第２の音声出力手段に音声出力させる第２の着信音再生手段と、を備えることを特徴とする請求項１から７のいずれか一項に記載の楽曲再生システム。
【請求項９】
楽曲再生装置と、
前記楽曲再生装置に通信接続可能な少なくとも一つの移動体電話機と、を備え、
前記楽曲再生装置は、
前記移動体電話機と通信接続する第１の通信手段と、
楽曲の識別情報及び音声データを関連付けて記憶する第１の楽曲情報記憶手段と、
楽曲を再生して音声出力する第１の音声出力手段と、を備え、
前記移動体電話機は、
前記楽曲再生装置と通信接続する第２の通信手段と、
楽曲の識別情報及び音声データを関連付けて記憶する第２の楽曲情報記憶手段と、
楽曲を再生して音声出力する第２の音声出力手段と、を備え、
前記第１の楽曲情報記憶手段に記憶された楽曲の識別情報と、前記第２の楽曲情報記憶手段に記憶された楽曲の識別情報と、が一致するか否かを判別する第１の判別手段と、
前記第１の判別手段により前記第２の楽曲情報記憶手段に記憶された楽曲のうちの識別情報が一致しないと判別された楽曲の音声データを着信音として設定する着信音設定手段と、
を備えることを特徴とする楽曲再生システム。
【請求項１０】
楽曲の再生を優先する機器として前記楽曲再生装置又は前記移動体電話機の選択入力を受け付ける選択入力手段を備え、
前記楽曲再生装置は、
着信音として設定した楽曲の識別情報を記憶する着信音情報記憶手段と、
前記選択入力手段により前記楽曲再生装置が選択された場合に、前記第１の楽曲情報記憶手段に記憶された楽曲の識別情報と、前記着信音情報記憶手段に記憶された着信音の識別情報と、が一致するか否かを判別する第２の判別手段と、
前記第２の判別手段により前記第１の楽曲情報記憶手段に記憶された楽曲のうちの識別情報が一致しないと判別された楽曲の音声データを前記第１の音声出力手段に音声出力させる楽曲再生手段と、を備え、
前記第１の判別手段は、前記選択入力手段により前記移動体電話機が選択された場合に、前記第１の楽曲情報記憶手段に記憶された楽曲の識別情報と、前記第２の楽曲情報記憶手段に記憶された楽曲の識別情報と、が一致するか否かを判別することを特徴とする請求項９に記載の楽曲再生システム。
【請求項１１】
前記楽曲再生装置は、
前記選択入力手段により前記移動体電話機が選択された場合で、前記通信手段を介して通信接続された移動体電話機の着信時に、着信音に対応する楽曲の音声データを前記音声出力手段に音声出力させる第１の着信音再生手段を備えることを特徴とする請求項１０に記載の楽曲再生システム。
【請求項１２】
前記移動体電話機は、
着信時に、着信音に対応する楽曲の音声データを前記第２の音声出力手段に音声出力させる第２の着信音再生手段と、を備えることを特徴とする請求項９から１１のいずれか一項に記載の楽曲再生システム。
【請求項１３】
移動体電話が通信接続可能な機器に搭載されたコンピュータに、
楽曲の識別情報及び音声データを関連付けて第１のメモリに記憶する機能と、
着信音として設定した楽曲の識別情報を第２のメモリに記憶する機能と、
前記第１のメモリに記憶された楽曲の識別情報と、前記第１のメモリに記憶された着信音の識別情報と、が一致するか否かを判別する機能と、
前記第１のメモリに記憶された楽曲のうちの識別情報が一致しないと判別された楽曲の音声データを音声出力する機能と、
を実現させるための楽曲再生プログラム。
【発明の詳細な説明】
【技術分野】
【０００１】
本発明は、楽曲再生装置、楽曲再生システム及び楽曲再生プログラムに関する。
【背景技術】
【０００２】
従来、車両に搭載し、ＣＤ等に記憶された楽曲を再生するカーオーディオ等の楽曲再生装置としての車載機があった。また、これらの車載機において、携帯電話機等の移動体電話機が接続可能であり、その接続した移動体電話機を手に持つことなく運転者が通話先と通話することにより、運転中でも安全に通話を行うことができるハンズフリー機能を有するものがあった。
【０００３】
また、移動体電話は、外部サーバから任意の楽曲をダウンロードして保存し、その保存した楽曲の中から着信時に出力させる着信音としての楽曲を設定できる機能を有するものがあった。
【０００４】
また、移動体電話機における着信音には、２種類が存在していた。第１の着信音は、移動体電話機側に音源を備え、その音源で演奏データ（電子化した音符データ）を用いて楽曲を演奏して再生する着メロ（登録商標）である。第２の着信音は、楽曲のサンプリングデータを用いて楽曲を再生する着うた（登録商標）である。このため、人物の声が表現でき、オリジナルにより近い音声を表現できるという特徴をもつ。
【０００５】
そして、ハンズフリー機能を有する車載機において、移動体電話機を接続し、その移動体電話機に第１の着信音として設定されている楽曲を車載機側のスピーカ等で音声出力する構成が考えられている（例えば、特許文献１参照）。車載機側の第１の着信音の音声出力については、２つの方式が考えられている。
【０００６】
第１の方式は、着信時に、移動体電話機で演奏して再生された第１の着信音の音声信号が車載機に入力され、その音声信号を車載機側でアンプにより増幅してリアルタイムに音声出力する方式である。
【０００７】
第２の方式は、予め第１の着信音に対応する高音質の演奏データが外部サーバから車載機に入力され、その演奏データが車載機側の記憶部に記憶され、着信時に、車載機側で記憶部に記憶された第１の着信音に対応する演奏データを読み出して音源で演奏してアンプで増幅して音声出力する方式である。
【特許文献１】特開２００２−９４６１１号公報
【発明の開示】
【発明が解決しようとする課題】
【０００８】
しかし、特許文献１に記載のような従来の構成では、移動体電話機を接続した車載機が、着信音として設定された楽曲を非着信時に通常再生する場合があり、着信音として設定された楽曲が再生されても、運転者が着信時か非着信時かを判別できないおそれがあった。
【０００９】
例えば、車載機が、歌手等の別にグループ分けされた楽曲のタイトルを有するプレイリストの自動生成機能と、そのプレイリストの楽曲の再生機能とを有する場合に、プレイリストに着信音として設定された楽曲が含まれ、プレイリストの楽曲の再生中に、着信音として設定された楽曲が再生されると、運転者が着信時か非着信時かを判別できないおそれがあった。
【００１０】
このため、運転者が非着信時に再生された着信音の楽曲により着信時であると勘違いして電話に出ようとしたり、逆に、着信時に再生された楽曲が、通常再生されているものと勘違いして着信に気づかないおそれがあった。
【００１１】
特に、第２の着信音は、第１の着信音に比べて、車載機側で通常再生する楽曲と音質が似ているため、車載機側で第２の着信音を再生する場合には、操作者が着信音か否かを聴き分けるのはより困難となっていた。
【００１２】
本発明の課題は、移動体電話機に着信音として設定された楽曲を着信時に楽曲再生装置側で再生するにあたり、着信を確実に認識させることである。
【課題を解決するための手段】
【００１３】
上記課題を解決するため、請求項１に記載の発明は、
少なくとも一つの移動体電話機と通信接続する通信手段と、
楽曲の識別情報及び音声データを関連付けて記憶する楽曲情報記憶手段と、
着信音として設定した楽曲の識別情報を記憶する着信音情報記憶手段と、
楽曲を再生して音声出力する第１の音声出力手段と、
前記楽曲情報記憶手段に記憶された楽曲の識別情報と、前記着信音情報記憶手段に記憶された着信音の識別情報と、が一致するか否かを判別する判別手段と、
前記判別手段により前記楽曲情報記憶手段に記憶された楽曲のうちの識別情報が一致しないと判別された楽曲の音声データを前記第１の音声出力手段に音声出力させる楽曲再生手段と、
を備えることを特徴とする楽曲再生装置である。
【００１４】
請求項２に記載の発明は、請求項１に記載の楽曲再生装置において、
前記判別手段により前記楽曲情報記憶手段に記憶された楽曲のうちの識別情報が一致しないと判別された楽曲の識別情報を有するプレイリストを生成するプレイリスト生成手段を備え、
前記楽曲再生手段は、前記楽曲情報記憶手段に記憶された楽曲のうちの前記プレイリスト生成手段により生成されたプレイリストの識別情報に対応する楽曲の音声データを前記第１の音声出力手段に音声出力させることを特徴とする。
【００１５】
請求項３に記載の発明は、請求項１に記載の楽曲再生装置において、
前記判別手段は、前記楽曲情報記憶手段に記憶された再生する楽曲ごとに、当該楽曲の識別情報と、前記着信音情報記憶手段に記憶された着信音の識別情報と、が一致するか否かを判別し、
前記楽曲再生手段は、前記判別手段により前記楽曲の識別情報が一致しないと判別されるごとに、当該楽曲の音声データを前記第１の音声出力手段に音声出力させることを特徴とする。
【００１６】
請求項４に記載の発明は、請求項１から３のいずれか一項に記載の楽曲再生装置において、
情報の操作入力を受け付ける入力手段と、
前記入力手段により入力された着信音の識別情報を前記着信音情報記憶手段に記憶させる着信音情報入力設定手段と、を備えることを特徴とする。
【００１７】
請求項５に記載の発明は、請求項１から３のいずれか一項に記載の楽曲再生装置において、
前記移動体電話機に設定された着信音の識別情報を前記通信手段を介して受信し、当該着信音の識別情報を前記着信音情報記憶手段に記憶させる着信音情報受信設定手段を備えることを特徴とする。
【００１８】
請求項６に記載の発明は、請求項１から５のいずれか一項に記載の楽曲再生装置において、
前記通信手段を介して通信接続された移動体電話機の着信時に、着信音に対応する楽曲の音声データを前記第１の音声出力手段に音声出力させる第１の着信音再生手段を備えることを特徴とする。
【００１９】
請求項７に記載の発明は、
前記移動体電話機と、
請求項１から６のいずれか一項に記載の楽曲再生装置と、を備えることを特徴とする楽曲再生システムである。
【００２０】
請求項８に記載の発明は、請求項１から７のいずれか一項に記載の楽曲再生システムにおいて、
前記移動体電話機は、
楽曲を再生して音声出力する第２の音声出力手段と、
着信時に、着信音に対応する楽曲の音声データを前記第２の音声出力手段に音声出力させる第２の着信音再生手段と、を備えることを特徴とする。
【００２１】
請求項９に記載の発明は、
楽曲再生装置と、
前記楽曲再生装置に通信接続可能な少なくとも一つの移動体電話機と、を備え、
前記楽曲再生装置は、
前記移動体電話機と通信接続する第１の通信手段と、
楽曲の識別情報及び音声データを関連付けて記憶する第１の楽曲情報記憶手段と、
楽曲を再生して音声出力する第１の音声出力手段と、を備え、
前記移動体電話機は、
前記楽曲再生装置と通信接続する第２の通信手段と、
楽曲の識別情報及び音声データを関連付けて記憶する第２の楽曲情報記憶手段と、
楽曲を再生して音声出力する第２の音声出力手段と、を備え、
前記第１の楽曲情報記憶手段に記憶された楽曲の識別情報と、前記第２の楽曲情報記憶手段に記憶された楽曲の識別情報と、が一致するか否かを判別する第１の判別手段と、
前記第１の判別手段により前記第２の楽曲情報記憶手段に記憶された楽曲のうちの識別情報が一致しないと判別された楽曲の音声データを着信音として設定する着信音設定手段と、
を備えることを特徴とする楽曲再生システムである。
【００２２】
請求項１０に記載の発明は、請求項９に記載の楽曲再生システムにおいて、
楽曲の再生を優先する機器として前記楽曲再生装置又は前記移動体電話機の選択入力を受け付ける選択入力手段を備え、
前記楽曲再生装置は、
着信音として設定した楽曲の識別情報を記憶する着信音情報記憶手段と、
前記選択入力手段により前記楽曲再生装置が選択された場合に、前記第１の楽曲情報記憶手段に記憶された楽曲の識別情報と、前記着信音情報記憶手段に記憶された着信音の識別情報と、が一致するか否かを判別する第２の判別手段と、
前記第２の判別手段により前記第１の楽曲情報記憶手段に記憶された楽曲のうちの識別情報が一致しないと判別された楽曲の音声データを前記第１の音声出力手段に音声出力させる楽曲再生手段と、を備え、
前記第１の判別手段は、前記選択入力手段により前記移動体電話機が選択された場合に、前記第１の楽曲情報記憶手段に記憶された楽曲の識別情報と、前記第２の楽曲情報記憶手段に記憶された楽曲の識別情報と、が一致するか否かを判別することを特徴とする。
【００２３】
請求項１１に記載の発明は、請求項１０に記載の楽曲再生システムにおいて、
前記楽曲再生装置は、
前記選択入力手段により前記移動体電話機が選択された場合で、前記通信手段を介して通信接続された移動体電話機の着信時に、着信音に対応する楽曲の音声データを前記音声出力手段に音声出力させる第１の着信音再生手段を備えることを特徴とする。
【００２４】
請求項１２に記載の発明は、請求項９から１１のいずれか一項に記載の楽曲再生システムにおいて、
前記移動体電話機は、
着信時に、着信音に対応する楽曲の音声データを前記第２の音声出力手段に音声出力させる第２の着信音再生手段と、を備えることを特徴とする。
【００２５】
請求項１３に記載の発明は、
移動体電話が通信接続可能な機器に搭載されたコンピュータに、
楽曲の識別情報及び音声データを関連付けて第１のメモリに記憶する機能と、
着信音として設定した楽曲の識別情報を第２のメモリに記憶する機能と、
前記第１のメモリに記憶された楽曲の識別情報と、前記第１のメモリに記憶された着信音の識別情報と、が一致するか否かを判別する機能と、
前記第１のメモリに記憶された楽曲のうちの識別情報が一致しないと判別された楽曲の音声データを音声出力する機能と、
を実現させるための楽曲再生プログラムである。
【発明の効果】
【００２６】
本発明によれば、移動体電話機に着信音として設定された楽曲を楽曲再生装置側で再生するにあたり、着信を確実に認識させることができる。
【発明を実施するための最良の形態】
【００２７】
以下、添付図面を参照して本発明に係る第１〜第６の実施の形態を順に詳細に説明する。ただし、発明の範囲は、図示例に限定されない。
【００２８】
また、各実施の形態において、演奏データを用いて楽曲を演奏して再生する着メロ（登録商標）等の第１の着信音と、楽曲のサンプリングデータを用いて楽曲を再生する着うた（登録商標）等の第２の着信音と、の少なくとも一つを「着信音」とする。
【００２９】
（第１の実施の形態）
図１〜図６を参照して、本発明に係る第１の実施の形態を説明する。まず、図１及び図２を参照して、本実施の形態の装置構成を説明する。図１に、本実施の形態の楽曲再生システム１００の構成を示す。図２に、移動体電話機３０の構成を示す。
【００３０】
図１に示すように、本実施の形態の楽曲再生システム１００は、無線での通話及びデータ送受信が可能であるとともに着信時に任意の楽曲を再生可能な移動体電話機３０と、移動体としての車両に搭載されるとともに各種楽曲を再生する楽曲再生装置としての車載機１０と、を備えて構成される。
【００３１】
移動体電話機３０は、携帯電話機であるものとして説明するが、これに限定されるものではなく、ＰＨＳ（Personal Handyphone System）、通話機能を有するＰＤＡ（Personal Digital Assistant）等としてもよい。
【００３２】
車載機１０は、ＣＰＵ（Central Processing Unit）１１と、通信手段、第１の通信手段としてのＩ／Ｆ（インタフェース）１２と、楽曲情報記憶手段、第１の楽曲情報記憶手段としてのＨＤＤ（Hard Disc Drive）１３と、着信音情報記憶手段としての着信音タイトル保存部１４と、プレイリスト保存部１５と、入力手段、選択入力手段としての入力部１６と、表示部１７と、ＲＡＭ（Random Access Memory）１８と、第１の音声出力手段としての音声出力部１９と、を備えて構成され、ＣＰＵ１１以外の各部がＣＰＵ１１に接続される。
【００３３】
ＣＰＵ１１は、車載機１０の各部を中央制御する。ＣＰＵ１１は、ＨＤＤ１３に記憶されているシステムプログラム及び各種アプリケーションプログラムの中から指定されたプログラムをＲＡＭ１８に展開し、ＲＡＭ１８に展開されたプログラムとの協働で、各種処理を実行する。このＣＰＵ１１及びプログラムの協働の構成は、判別手段、第１の判別手段、第２の判別手段、楽曲再生手段、第１の着信音再生手段、プレイリスト生成手段、着信音情報入力設定手段、着信音情報受信設定手段として機能する。
【００３４】
Ｉ／Ｆ１２は、移動体電話機３０と通信ケーブル等を介して通信接続し、移動体電話機３０との間の通信を介する。Ｉ／Ｆ１２は、移動体電話機３０と無線通信接続する構成としてもよい。
【００３５】
ＨＤＤ１３は、実行される各種プログラムや各種データ等を読み書き可能に記憶する。ＨＤＤ１３は、後述する第１の着信音タイトル保存プログラム、第１のプレイリスト自動生成プログラム、第１のプレイリスト再生プログラム、着信音再生プログラムや、楽曲ファイル２１，２２，…、デフォルトの着信音の楽曲ファイル等が記憶される。
【００３６】
楽曲ファイルは、各楽曲に関するファイルである。楽曲ファイル２１，２２，…は、それぞれ、各楽曲のタイトルを表すタイトル２１１，２２１，…を含む各楽曲に関する付加情報２１０，２２０，…と、その各楽曲の音声データ２１２，２２２，…と、を含む。
【００３７】
着信音タイトル保存部１４は、情報を読み書き可能に記憶するフラッシュメモリ等により構成され、移動体電話機３０に着信音として設定された楽曲のタイトルが変更可能に保存（記憶）される。プレイリスト保存部１５は、情報を読み書き可能に記憶するフラッシュメモリ等により構成され、自動生成されたプレイリストが変更可能に保存（記憶）される。
【００３８】
入力部１６は、文字キー、数字キーや、各種の各種機能に対応付けられた各種キーを備え、操作されたキーに対する操作信号を受け付けてＣＰＵ１１に出力する。また、入力部１６は、表示部１７の表示画面を覆うように設けられたタッチパネル等のポインティングデバイスや、無線又は有線のリモートコントローラ等を介して操作入力を受け付ける構成、あるいは、音声入力を受け付ける構成等としてもよい。
【００３９】
表示部１７は、ＬＣＤ（Liquid Crystal Display）や、ＥＬ（ElectroLuminescent）ディスプレイ等により構成され、ＣＰＵ１１からの表示指示に基づき、各種設定入力画面や、各種表示情報を表示する。
【００４０】
ＲＡＭ１８は、揮発性のメモリであり、実行される各種プログラムやこれら各種プログラムに係るデータ等を一時的に記憶するワークエリアを形成する。
【００４１】
音声出力部１９は、信号変換回路、アンプ、スピーカ等を備え、ＣＰＵ１１の制御により入力される音声データ（サンプリングデータ）を信号変換回路で音声信号に変換し、その音声信号をアンプにより増幅してスピーカから音声出力する。
【００４２】
図２に示すように、移動体電話機３０は、ＣＰＵ３１と、入力部３２と、ＲＡＭ３３と、表示部３４と、第２の楽曲情報記憶手段としてのフラッシュメモリ３５と、通信部３６と、ＲＯＭ（Read Only Memory）３７と、第２の通信手段としてのＩ／Ｆ３８と、第２の音声出力手段としての音声出力部４０と、を備えて構成され、各部がバス４１に接続される。
【００４３】
ＣＰＵ３１は、移動体電話機３０の各部を中央制御する。ＣＰＵ３１は、フラッシュメモリ３５、ＲＯＭ３７に記憶されているシステムプログラム及び各種アプリケーションプログラムの中から指定されたプログラムをＲＡＭ３３に展開し、ＲＡＭ３３に展開されたプログラムとの協働で、各種処理を実行する。このＣＰＵ３１及びプログラムの協働の構成は、第１の判別手段、着信音設定手段、第２の着信音再生手段として機能する。
【００４４】
入力部３２は、文字キー、数字キーや、各種機能に対応付けられた各種キーを備えるキーパッドを備え、操作されたキーに対する操作信号を受け付けてＣＰＵ３１に出力する。ＲＡＭ３３は、ＲＡＭ１８と同様である。
【００４５】
表示部３４は、ＬＣＤや、ＥＬディスプレイ等により構成され、ＣＰＵ３１からの表示指示に基づき、各種設定入力画面や、各種表示情報を表示する。フラッシュメモリ３５は、ユーザに設定された各種設定情報等の情報を読み書き可能に記憶する。
【００４６】
通信部３６は、アンテナ３６ａを備え、アンテナ３６ａ及び図示しない基地局を介して、外部サーバ、通話先の固定電話機、移動体電話機等の外部機器との間の無線通信を介する。
【００４７】
Ｉ／Ｆ３８は、車載機１０のＩ／Ｆ１２と通信ケーブル等を介して通信接続し、車載機１０との間の通信を介する。Ｉ／Ｆ３８は、Ｉ／Ｆ１２と同様に、車載機１０と無線通信接続する構成としてもよい。
【００４８】
通話部３９は、通話用のアンプ、マイク、スピーカ、コーデック等を備え、ＣＰＵ３１の制御で、操作者によりマイクから入力された音声を音声信号に変換しコーデックで音声データに変換する。その音声データは、通信部３６を介して通話先の機器に送信される。また、音声データが通話先の機器から通信部３６を介して受信され、通話部３９は、ＣＰＵ３１の制御で、受信した音声データをコーデックで音声信号に変換してアンプで増幅してスピーカから音声出力する。
【００４９】
音声出力部４０は、音源、信号処理回路、アンプ、スピーカ等を備え、ＣＰＵ１１の制御により演奏データ（第１の着信音に対応）が入力されると、その演奏データを音源で演奏してアンプにより増幅してスピーカから音声出力し、ＣＰＵ１１の制御により楽曲のサンプリングデータ（第２の着信音に対応）が入力されると、そのサンプリングデータを信号処理回路により音声信号に変換し、その音声信号をアンプにより増幅してスピーカから音声出力する。
【００５０】
また、車載機１０は、ハンズフリー機能を有する。具体的には、車載機１０のＩ／Ｆ１２と、移動体電話機３０のＩ／Ｆ３８とが通信接続された状態で、移動体電話機３０の通信部３６を介して通話先から着信があり、又は移動体電話機３０により通話先へ電話をかけた場合に、操作者の音声入力を移動体電話機３０の通話部３９のマイク（又は、移動体電話機３０若しくは車載機１０に接続された図示しない延長マイク等）から行い、通話音声出力を車載機１０の音声出力部１９のスピーカから行う。このため、運転中等にも、操作者（運転者）が移動体電話機３０に触れることなく通話を行うことができる。
【００５１】
次に、図３〜図６を参照して、楽曲再生システム１００の動作を説明する。図３に、第１の着信音タイトル保存処理の流れを示す。図４に、第１のプレイリスト自動生成処理の流れを示す。図５に、第１のプレイリスト再生処理の流れを示す。図６に、第１の着信音再生処理の流れを示す。
【００５２】
先ず、図３を参照して、車載機１０において実行される第１の着信音タイトル保存処理を説明する。第１の着信音タイトル保存処理は、移動電話機３０に設定されている着信音のタイトル（着信音タイトル）を車載機１０に設定して保存する処理である。
【００５３】
予め、移動体電話機３０において、操作者の入力部３２を介する楽曲取得操作入力により、通信部３６を介して図示しない外部サーバから、所望の楽曲ファイルをダウンロードし、その楽曲ファイルがフラッシュメモリ３５に記憶されているものとする。このダウンロードした楽曲ファイルは、タイトルを含む楽曲の識別情報としての付加情報と、その楽曲の音声データ又は演奏データを含むものとする。このフラッシュメモリ３５に記憶されている楽曲ファイルに対応する楽曲が、移動体電話機３０に着信音として設定されている。
【００５４】
また、車載機１０は、Ｉ／Ｆ１２を介して、通信接続したＰＣ（Personal Computer）等の外部機器から各種楽曲ファイル２１，２２，…が入力され、ＨＤＤ１３に記憶されているものとする。各種楽曲ファイル２１，２２，…には、移動体電話機３０に設定された着信音の楽曲に対応する楽曲ファイルが含まれる、又は含まれない。
【００５５】
そして、車載機１０及び移動体電話機３０の電源がオンされて且つ車載機１０のＩ／Ｆ１２と、移動体電話機３０のＩ／Ｆ３８とが通信接続されたこと、又は操作者により入力部１６を介して第１の着信音タイトル保存処理の実行指示が入力されたことをトリガとして、ＨＤＤ１３に記憶された第１の着信音タイトル保存プログラムが適宜読み出されてＲＡＭ１８に展開され、ＣＰＵ１１と、展開された第１の着信音タイトル保存プログラムとの協働により第１の着信音タイトル保存処理が実行される。
【００５６】
車載機１０において、フラッシュメモリ３５に記憶されて着信音として設定された楽曲のタイトル（着信音タイトル）が、Ｉ／Ｆ１２を介して移動体電話機３０から受信されて取得される（ステップＳ１１）。そして、ステップＳ１１で受信した着信音タイトルが、着信音タイトル保存部１４に保存（記憶）される（ステップＳ１２）。
【００５７】
そして、着信音タイトル保存部１４に保存した着信音タイトルに対応する楽曲ファイルが、ＨＤＤ１３に記憶されているか否かが判別される（ステップＳ１３）。着信音タイトルに対応する楽曲ファイルがＨＤＤ１３に記憶されている場合（ステップＳ１３；ＹＥＳ）、第１の着信音タイトル保存処理が終了される。
【００５８】
着信音タイトルに対応する楽曲ファイルがＨＤＤ１３に記憶されていない場合（ステップＳ１３；ＮＯ）、着信音タイトルに対応する楽曲ファイルの取得要請の旨が表示部１７に表示され（ステップＳ１４）、第１の着信音タイトル保存処理が終了される。操作者は、入力部１６を介する操作入力等により、車載機１０において、着信音タイトルに対応する楽曲ファイルを、図示しない外部機器からＩ／Ｆ１２を介してダウンロードさせＨＤＤ１３に記憶させる。移動体電話機３０において、着信音に対応する音声データを含む楽曲ファイルがフラッシュメモリ３５に記憶されている場合には、その楽曲ファイルを移動体電話機３０から車載機１０にダウンロードさせることとしてもよい。
【００５９】
次いで、図４を参照して、車載機１０において実行される第１のプレイリスト自動生成処理を説明する。第１のプレイリスト自動生成処理は、車載機１０で再生するための、着信音タイトルを除く少なくとも一つの楽曲のタイトルを有する少なくとも一つのプレイリストを自動的に生成する処理である。
【００６０】
プレイリストは、例えば、楽曲について、ＨＤＤ１３へ記憶した日付、再生頻度、歌手、演奏者、作曲者、作詞者、編曲者、音楽ジャンル等の別に生成される。
【００６１】
車載機１０において、第１の着信音タイトル保存処理において新たな着信音タイトルが設定されたこと、外部機器から新たな楽曲ファイルが受信されてＨＤＤ１３に記憶されたこと、又は再生中のプレイリストが再生終了したこと等をトリガとして、ＨＤＤ１３に記憶された第１のプレイリスト自動生成プログラムが適宜読み出されてＲＡＭ１８に展開され、ＣＰＵ１１と、展開された第１のプレイリスト自動生成プログラムとの協働により第１のプレイリスト自動生成処理が実行される。
【００６２】
先ず、ＨＤＤ１３に記憶された楽曲ファイル２１，２２，…の付加情報２１０，２２０，…が参照され、未選択の楽曲タイトルが一つ選択される（ステップＳ２１）。
【００６３】
そして、ステップＳ２１で選択された付加情報の楽曲のタイトルが、着信音タイトル保存部１４に保存された着信音タイトルと一致するか否かが判別される（ステップＳ２２）。楽曲のタイトルが着信音タイトルと一致しない場合（ステップＳ２２；ＮＯ）、選択した楽曲の付加情報に対応し且つ楽曲数が必要数に達していない単数又は複数のプレイリストに、選択した楽曲のタイトルが追加設定される（ステップＳ２３）。追加先のプレイリストが未作成の場合、対応するプレイリストが新たに作成される。
【００６４】
そして、ステップＳ２１で未選択の楽曲の付加情報があるか否かが判別される（ステップＳ２４）。楽曲のタイトルが着信音タイトルと一致する場合（ステップＳ２２；ＹＥＳ）、ステップＳ２４に移行される。未選択の楽曲の付加情報がある場合（ステップＳ２４；ＹＥＳ）、ステップＳ２１に移行される。
【００６５】
未選択の楽曲の付加情報がない場合（ステップＳ２４；ＮＯ）、ステップＳ２３で設定されたプレイリストがプレイリスト保存部１５に保存（記憶）され（ステップＳ２５）、第１のプレイリスト自動生成処理が終了する。
【００６６】
次いで、図５を参照して、車載機１０において実行される第１のプレイリスト再生処理を説明する。第１のプレイリスト再生処理は、第１のプレイリスト自動生成処理で生成されたプレイリストの楽曲を車載機１０で再生する処理である。
【００６７】
車載機１０において、例えば、操作者により入力部１６を介して第１のプレイリスト再生処理の実行指示が入力されたことをトリガとして、ＨＤＤ１３に記憶された第１のプレイリスト再生プログラムが適宜読み出されてＲＡＭ１８に展開され、ＣＰＵ１１と、展開された第１のプレイリスト再生プログラムとの協働により第１のプレイリスト再生処理が実行される。
【００６８】
先ず、プレイリスト保存部１５に保存されたプレイリストの一覧が表示部１７に表示され、操作者により入力部１６を介して、再生する少なくとも一つのプレイリストが選択入力される（ステップＳ３１）。そして、ステップＳ３１において選択されたプレイリストの全楽曲の再生が終了したか否かが判別される（ステップＳ３２）。
【００６９】
選択されたプレイリストの全楽曲の再生が終了していない場合（ステップＳ３２；ＮＯ）、選択されたプレイリストのうちの次に再生する楽曲のタイトルが取得される（ステップＳ３３）。そして、ステップＳ３３で取得された楽曲のタイトルをキーとして、ＨＤＤ１３に記憶された楽曲ファイルが検索され、検索した楽曲ファイルの音声データが取得されて音声出力部１９に入力され、音声出力部１９により、その音声データの楽曲が再生開始されて音声出力される（ステップＳ３４）。
【００７０】
そして、再生中の楽曲が再生終了したか否かが判別される（ステップＳ３５）。再生終了していない場合（ステップＳ３５；ＮＯ）、ステップＳ３５に移行される。再生終了した場合（ステップＳ３５；ＹＥＳ）、ステップＳ３２に移行される。選択されたプレイリストの全楽曲の再生が終了した場合（ステップＳ３２；ＹＥＳ）、第１のプレイリスト再生処理が終了する。
【００７１】
次いで、図６を参照して、車載機１０において実行される第１の着信音再生処理を説明する。第１の着信音再生処理は、移動体電話機３０に着信がある場合に、着信音を車載機１０で再生する処理である。
【００７２】
予め、車載機１０のＩ／Ｆ１２と、移動体電話機３０のＩ／Ｆ３８とが通信接続されているものとする。そして、移動体電話機３０において、通信部３６を介して通話先から着信がある場合に、Ｉ／Ｆ３８を介して着信コマンドが車載機１０に送信される。
【００７３】
そして、車載機１０において、Ｉ／Ｆ１２を介して着信コマンドが移動体電話機３０から受信されたことをトリガとして、ＨＤＤ１３から第１の着信音再生プログラムが適宜読み出されてＲＡＭ１８に展開され、ＣＰＵ１１と、展開された第１の着信音再生プログラムとの協働により第１の着信音再生処理が実行される。
【００７４】
先ず、着信音タイトル保存部１４に保存された着信音タイトルが読み出される（ステップＳ４１）。そして、着信音タイトルに対応する楽曲ファイルがＨＤＤ１３に記憶されているか否かが判別される（ステップＳ４２）。着信音タイトルに対応する楽曲ファイルが記憶されている場合（ステップＳ４２；ＹＥＳ）、その着信音タイトルの楽曲ファイルがＨＤＤ１３から読み出され、その着信音の楽曲ファイルの音声データが音声出力部１９に入力され、音声出力部１９によりその着信音が再生開始されて音声出力される（ステップＳ４３）。
【００７５】
そして、操作者からの入力部１６を介したオフフックの指示、又は移動体電話機３０からのＩ／Ｆ１２を介した着信中断コマンドが入力されたか否かが判別される（ステップＳ４４）。着信中断コマンドは、通話先が発信を中断した場合に、移動体電話機３０から出力される。
【００７６】
オフフックの指示又は着信中断コマンドが入力されていない場合（ステップＳ４４；ＮＯ）、ステップＳ４４に移行される。オフフックの指示又は着信中断コマンドが入力された場合（ステップＳ４４；ＹＥＳ）、音声出力部１９により着信音の再生が終了され（ステップＳ４５）、第１の着信音再生処理が終了する。第１の着信音再生処理の終了後でオフフック時には、車載機１０のハンズフリー機能により、移動体電話機３０を介して、通話先と操作者とが通話を開始する。
【００７７】
着信音タイトルに対応する楽曲ファイルが記憶されていない場合（ステップＳ４２；ＮＯ）、デフォルトの着信音の楽曲ファイルがＨＤＤ１３から読み出され、その着信音の楽曲ファイルの音声データが音声出力部１９に入力され、音声出力部１９によりその着信音が再生開始されて音声出力され（ステップＳ４６）、ステップＳ４４に移行される。
【００７８】
以上、本実施の形態によれば、車載機１０において、移動体電話機３０の着信時に着信音の楽曲を再生するとともに、非着信時には、着信音を除く楽曲を含むプレイリストの楽曲を再生するので、操作者が着信音を通常再生時の楽曲と混同することなく、着信を確実に認識させることができる。
【００７９】
特に、着信音が第２の着信音（サンプリングデータ利用）である場合に、より効果的に着信を確実に認識させることができる。
【００８０】
また、第１のプレイリスト自動生成処理により、着信音を除く楽曲を含むプレイリストを再生前に予め生成するので、楽曲の再生時に着信音の楽曲を除く処理を行うことなく、楽曲の再生時の処理負担を軽減できる。
【００８１】
また、第１の着信音タイトル保存処理により、車載機１０において、移動体電話機３０に設定された着信音の楽曲のタイトルを受信して着信音タイトル保存部１４に保存するので、車載機１０への着信音タイトルの設定における操作負担を軽減できるとともに、その着信音タイトルの設定を確実に行うことができる。
【００８２】
また、第１の着信音再生処理により、車載機１０において着信音を再生するので、着信音を確実に操作者に認識させることができる。
【００８３】
（第２の実施の形態）
図７及び図８を参照して、本発明に係る第２の実施の形態を説明する。図７に、第２のプレイリスト自動生成処理の流れを示す。図８に、第２のプレイリスト再生処理の流れを示す。
【００８４】
本実施の形態では、楽曲再生システム１００を用い、第１の実施の形態で実行する第１のプレイリスト自動生成処理、第１のプレイリスト再生処理に代えて、それぞれ、第２のプレイリスト自動生成処理、第２のプレイリスト再生処理を実行するものである。本実施の形態では、第１の実施の形態と異なる部分を主として説明する。
【００８５】
車載機１０において、先ず、図３に記載の第１の着信音タイトル保存処理が実行される。次いで、図７を参照して、車載機１０において実行される第２のプレイリスト自動生成処理を説明する。第１のプレイリスト自動生成処理は、車載機１０で再生するための少なくとも一つの楽曲のタイトルを有する少なくとも一つの通常のプレイリストを自動的に生成する処理である。
【００８６】
車載機１０において、第１の着信音タイトル保存処理において新たな着信音タイトルが設定されたこと、外部機器から新たな楽曲ファイルが入力されてＨＤＤ１３に記憶されたこと、又は再生中のプレイリストが再生終了したこと等をトリガとして、ＨＤＤ１３に記憶された第２のプレイリスト自動生成プログラムが適宜読み出されてＲＡＭ１８に展開され、ＣＰＵ１１と、展開された第２のプレイリスト自動生成プログラムとの協働により第２のプレイリスト自動生成処理が実行される。
【００８７】
ステップＳ５１，Ｓ５２，Ｓ５３，Ｓ５４は、それぞれ、第１のプレイリスト自動生成のステップＳ２１，Ｓ２３，Ｓ２４，Ｓ２５と同様である。
【００８８】
次いで、図８を参照して、車載機１０において実行される第２のプレイリスト再生処理を説明する。第２のプレイリスト再生処理は、第２のプレイリスト自動生成処理により生成された通常のプレイリストの楽曲を、着信音タイトルの楽曲を除いて車載機１０で再生する処理である。
【００８９】
車載機１０において、例えば、操作者により入力部１６を介して第２のプレイリスト再生処理の実行指示が入力されたことをトリガとして、ＨＤＤ１３から第２のプレイリスト再生プログラムが適宜読み出されてＲＡＭ１８に展開され、ＣＰＵ１１と、展開された第２のプレイリスト再生プログラムとの協働により第２のプレイリスト再生処理が実行される。
【００９０】
ステップＳ６１，Ｓ６２，Ｓ６３は、それぞれ、第１のプレイリスト再生処理のステップＳ３１，Ｓ３２，Ｓ３３と同様である。そして、ステップＳ６３で選択された付加情報の楽曲のタイトルが、着信音タイトル保存部１４に保存された着信音タイトルと一致するか否かが判別される（ステップＳ６４）。楽曲のタイトルが着信音タイトルと一致する場合（ステップＳ６４；ＹＥＳ）、ステップＳ６２に移行される。楽曲のタイトルが着信音タイトルと一致しない場合（ステップＳ６４；ＮＯ）、ステップＳ６５が実行される。ステップＳ６５，Ｓ６６は、それぞれ、第１のプレイリスト再生処理のステップＳ３４，Ｓ３５と同様である。
【００９１】
また、車載機１０において、図６の第１の着信音再生処理が実行される。
【００９２】
以上、本実施の形態によれば、第２のプレイリスト再生処理により、楽曲の再生時に、着信音を除いて再生するので、着信音の設定ごとにプレイリストの生成及び変更を行う必要がなく、プレイリスト生成の頻度を低減し、その生成の処理負担を軽減できる。
【００９３】
（第３の実施の形態）
図９を参照して、本発明に係る第３の実施の形態を説明する。図９に、楽曲再生システム１００Ａの構成を示す。
【００９４】
本実施の形態は、楽曲再生システム１００に代えて、楽曲再生システム１００Ａを用いる。本実施の形態では、第１の実施の形態と異なる部分を主として説明する。
【００９５】
楽曲再生システム１００Ａは、車載機１０Ａと、移動体電話機３０Ａ，３０Ｂ，３０Ｃ，…と、を備えて構成される。車載機１０Ａは、車載機１０のＩ／Ｆ１２をＩ／Ｆ１２Ａに代えたものである。Ｉ／Ｆ１２Ａは、複数の移動体電話機３０Ａ，３０Ｂ，３０Ｃ，…を同時に通信接続可能である。移動体電話機３０Ａ，３０Ｂ，３０Ｃ，…は、それぞれ、移動体電話機３０と同様の構成である。
【００９６】
楽曲再生システム１００Ａでは、第１の実施の形態と同様に、第１の着信音タイトル保存処理、第１のプレイリスト自動生成処理、第１のプレイリスト自動生成処理及び第１の着信音再生処理が実行される。
【００９７】
但し、第１の着信音タイトル保存処理において、車載機１０ＡのＩ／Ｆ１２と、複数の移動体電話機３０Ａ，３０Ｂ，３０Ｃ，…のＩ／Ｆとが通信接続される。そして、ステップＳ１１において、接続した全ての移動体電話機３０Ａ，３０Ｂ，３０Ｃ，…からＩ／Ｆ１２Ａを介して各着信音タイトルが受信される。そして、ステップＳ１２において、受信した複数（全て）の着信音タイトルが着信音タイトル保存部１４に保存される。その複数の着信音は、互いに異なるものが好ましい。
【００９８】
また、第１のプレイリスト自動生成処理では、ステップＳ２２において、ステップＳ２１で選択された楽曲のタイトルと、着信音タイトル保存部１４に保存された複数の着信音タイトルと、の少なくとも一つが一致するか否かが判別される。
【００９９】
また、第１の着信音再生処理において、車載機１０ＡのＩ／Ｆ１２と、複数の移動体電話機３０Ａ，３０Ｂ，３０Ｃ，…のＩ／Ｆとが通信接続される。複数の移動体電話機３０Ａ，３０Ｂ，３０Ｃ，…のうちの少なくとも一つから、Ｉ／Ｆ１２Ａを介して着信コマンドが受信されたことをトリガとして、第１の着信音再生処理が実行され、その着信コマンドの送信元の移動体電話機に設定された着信音が再生される。複数の移動体電話機に同時に着信がある場合には、それらの移動体電話機に設定された各着信音を同時に再生することが好ましい。
【０１００】
以上、本実施の形態によれば、複数の移動体電話機３０Ａ，３０Ｂ，３０Ｃ，…の着信時に、着信があった移動体電話機に対応する着信音の楽曲を再生するとともに、非着信時には、全ての移動体電話機に対応する着信音を除く楽曲を含むプレイリストの楽曲を再生するので、複数の移動体電話機３０Ａ，３０Ｂ，３０Ｃ，…に着信音として設定された楽曲を車載機１０Ａ側で音声出力するにあたり、操作者が通常再生時の楽曲と混同することなく、着信を確実に認識させることができる。
【０１０１】
（第４の実施の形態）
図１０を参照して、本発明に係る第４の実施の形態を説明する。図１０に、第２の着信音タイトル保存処理の流れを示す。
【０１０２】
本実施の形態は、楽曲再生システム１００を用いる。本実施の形態の説明では、第１の実施の形態と異なる部分を主として説明する。
【０１０３】
楽曲再生システム１００では、第１の着信音タイトル保存処理に代えて第２の着信音タイトル保存処理が実行される。また、第１の実施の形態と同様に、第１のプレイリスト自動生成処理、第１のプレイリスト自動生成処理及び第１の着信音再生処理が実行される。
【０１０４】
図１０を参照して、車載機１０において実行される第２の着信音タイトル保存処理を説明する。第２の着信音タイトル保存処理は、移動電話機３０の車載機１０側で再生する着信音のタイトル（着信音タイトル）を車載機１０に設定して保存する処理である。
【０１０５】
予め、車載機１０は、Ｉ／Ｆ１２を介して、通信接続したＰＣ等の外部機器から各種楽曲ファイル２１，２２，…がダウンロードされ、ＨＤＤ１３に記憶されているものとする。各種楽曲ファイル２１，２２，…には、移動体電話機３０に設定された着信音の楽曲に対応する楽曲ファイルが含まれる、又は含まれない。
【０１０６】
そして、車載機１０の電源がオンされて且つ操作者により入力部１６を介して第２の着信音タイトル保存処理の実行指示が入力されたことをトリガとして、ＨＤＤ１３に記憶された第２の着信音タイトル保存プログラムが適宜読み出されてＲＡＭ１８に展開され、ＣＰＵ１１と、展開された第２の着信音タイトル保存プログラムとの協働により第２の着信音タイトル保存処理が実行される。
【０１０７】
車載機１０において、操作者により入力部１６を介して、着信音設定したい所望の楽曲のタイトルが入力される（ステップＳ７１）。そして、ステップＳ６１で入力した楽曲のタイトルが、着信音タイトルとして着信音タイトル保存部１４に保存（記憶）される（ステップＳ６２）。
【０１０８】
ステップＳ７３，Ｓ７４は、それぞれ、上記実施の形態の第１の着信音タイトル保存処理のステップＳ１３，Ｓ１４と同様である。
【０１０９】
以上、本実施の形態によれば、第２の着信音タイトル保存処理により、車載機１０において、着信音の楽曲のタイトルを操作入力して着信音タイトル保存部１４に保存するので、車載機１０への所望の着信音タイトルの設定を確実に行うことができる。
【０１１０】
（第５の実施の形態）
図１１を参照して、本発明に係る第５の実施の形態を説明する。図１１に、第２の着信音再生処理の流れを示す。
【０１１１】
本実施の形態は、第１の実施の形態と同様に、楽曲再生システム１００を用い、第１の着信音再生処理に代えて、第２の着信音再生処理が移動体電話機３０で実行される構成とする。本実施の形態では、第１の実施の形態と異なる部分を主として説明する。
【０１１２】
予め、車載機１０のＩ／Ｆ１２と、移動体電話機３０のＩ／Ｆ３８とが通信接続されているものとする。
【０１１３】
移動体電話機３０において、通信部３６を介して通話先からの発信信号が受信され着信が開始されたことをトリガとして、ＲＯＭ３７から第２の着信音再生プログラムが適宜読み出されてＲＡＭ３３に展開され、ＣＰＵ３１と、展開された第３の着信音再生プログラムとの協働により第２の着信音再生処理が実行される。
【０１１４】
先ず、着信音タイトルの楽曲ファイルがフラッシュメモリ３５から読み出され、その着信音の楽曲ファイルの音声データが音声出力部４０に入力され、音声出力部４０によりその着信音が再生開始されて音声出力される（ステップＳ８１）。
【０１１５】
そして、操作者からの入力部３２を介したオフフックの指示の入力があるか否か、又は通話先から通信部３６を介して発信中断信号が受信されて着信が中断したか否かが判別される（ステップＳ８２）。発信中断信号は、通話先が発信を中断した場合に、移動体電話機３０から出力される。
【０１１６】
オフフックの指示又は着信中断がない場合（ステップＳ８２；ＮＯ）、ステップＳ８２に移行される。オフフックの指示又は着信中断がある場合（ステップＳ８２；ＹＥＳ）、音声出力部４０により着信音の再生が終了され（ステップＳ８３）、第２の着信音再生処理が終了する。第２の着信音再生処理の終了後でオフフック時には、車載機１０のハンズフリー機能により、移動体電話機３０を介して、通話先と操作者とが通話を開始する。
【０１１７】
以上、本実施の形態によれば、移動体電話機３０において着信音を再生するので、着信音を確実に操作者に認識させることができる。
【０１１８】
（第６の実施の形態）
図１２を参照して、本発明に係る第６の実施の形態を説明する。図１２（ａ）に、着信音決定処理の流れを示し、（ｂ）に着信音設定処理の流れを示す。
【０１１９】
本実施の形態は、楽曲再生システム１００を用いる。本実施の形態の説明では、第１の実施の形態と異なる部分を主として説明する。
【０１２０】
本実施の形態では、楽曲再生システム１００の車載機１０において、新たに、着信音決定処理が実行され、移動体電話機３０において、着信音設定処理が実行される。
【０１２１】
図１２（ａ）を参照して、車載機１０において実行される着信音決定処理を説明する。着信音決定処理は、フラッシュメモリ３５に記憶された楽曲ファイルの中から、移動体電話機３０で設定する着信音を選択して決定する処理である。
【０１２２】
予め、移動体電話機３０において、少なくとも一つのデフォルトの楽曲ファイルがフラッシュメモリ３５に記憶されているものとし、また通信部３６を介して外部サーバ等から楽曲ファイルがダウンロードされてフラッシュメモリ３５に記憶されているものとする。また、予め、車載機１０が、Ｉ／Ｆ１２及びＩ／Ｆ３８を介して、移動体電話機３０と通信接続されているものとする。
【０１２３】
操作者により入力部１６を介して着信音決定処理の実行指示が入力されたことをトリガとして、ＨＤＤ１３に記憶された着信音決定プログラムが適宜読み出されてＲＡＭ１８に展開され、ＣＰＵ１１と、展開された着信音決定プログラムとの協働により着信音決定処理が実行される。
【０１２４】
先ず、移動体電話機３０のフラッシュメモリ３５に記憶された着信音タイトルを含む全ての楽曲のタイトルの要求の旨が、Ｉ／Ｆ１２を介して移動体電話機３０に送信される（ステップＳ９１）。そして、フラッシュメモリ３５に記憶された楽曲のタイトルが、Ｉ／Ｆ１２を介して移動体電話機３０から受信される（ステップＳ９２）。
【０１２５】
そして、操作者により入力部１６を介して、楽曲再生を優先する機器として、車載機１０及び移動体電話機３０のいずれか一つが選択入力される（ステップＳ９３）。車載機１０に記憶された楽曲ファイルの楽曲を移動体電話機３０で着信音として設定（再生）しないようにする場合に、優先する機器を車載機１０とし、移動体電話機３０で設定された着信音を車載機１０で通常再生時に再生しないようにする場合に、優先する機器を移動体電話機３０とする。
【０１２６】
そして、ステップＳ９３で選択入力された優先する機器が車載機１０であるか否かが判別される（ステップＳ９４）。優先する機器が車載機１０である場合（ステップＳ９４；ＹＥＳ）、車載機１０が優先設定され、その旨の情報がＨＤＤ１３に記憶される（ステップＳ９５）。
【０１２７】
そして、移動体電話機３０から受信した楽曲のタイトルと、ＨＤＤ１３に記憶された楽曲ファイルのタイトルとの一致が判別される（ステップＳ９６）。そして、ステップＳ９６における判別により、移動体電話機３０から受信した楽曲のタイトルのうち、ＨＤＤ１３に記憶された楽曲ファイルのタイトルに一致しないものが特定され、その特定されたタイトルが表示部１７に一覧表示され、操作者により入力部１６を介して、一覧表示されたタイトルのうちの着信音設定する所望のタイトルが選択入力される（ステップＳ９７）。
【０１２８】
そして、ステップＳ９７又はＳ１００において選択入力されたタイトルが、着信音設定対象の楽曲のタイトルとして、Ｉ／Ｆ１２を介して移動体電話機３０に送信され（ステップＳ９８）、着信音決定処理が終了する。
【０１２９】
移動体電話機３０を優先する場合（ステップＳ９４；ＮＯ）、移動体電話機３０が優先設定され、その旨の情報がＨＤＤ１３に記憶される（ステップＳ９９）。そして、移動体電話機３０から受信した楽曲のタイトルの全てが表示部１７に一覧表示され、操作者により入力部１６を介して、一覧表示されたタイトルのうちの着信音設定する所望のタイトルが選択入力され（ステップＳ１００）、ステップＳ９８に移行される。
【０１３０】
次いで、図１２（ｂ）を参照して、移動体電話機３０で実行される着信音設定処理を説明する。着信音設定処理は、フラッシュメモリ３５に記憶された楽曲ファイルのタイトルを車載機１０に送信し、着信音決定処理によって決定された着信音タイトルの楽曲を着信音に設定する処理である。
【０１３１】
着信音決定処理のステップＳ９１に対応して、Ｉ／Ｆ３８を介して車載機１０から楽曲のタイトルの要求の旨を受信したことをトリガとして、ＲＯＭ３７に記憶された着信音設定プログラムが適宜読み出されてＲＡＭ３３に展開され、ＣＰＵ３１と、展開された着信音設定プログラムとの協働により着信音設定処理が実行される。
【０１３２】
先ず、着信音決定処理のステップＳ９２に対応して、フラッシュメモリ３５に記憶された全ての楽曲ファイルの楽曲のタイトルが読み出されて、その全ての楽曲のタイトルがＩ／Ｆ３８を介して車載機１０に送信される（ステップＳ１１１）。そして、着信音決定処理のステップＳ９８に対応して、着信音設定対象のタイトルがＩ／Ｆ３８を介して車載機１０から受信したか否かが判別される（ステップＳ１１２）。
【０１３３】
着信音設定対象のタイトルを受信していない場合（ステップＳ１１２；ＮＯ）、ステップＳ１０２に移行される。着信音設定対象のタイトルを受信した場合（ステップＳ１１２；ＹＥＳ）、受信した着信音設定対象のタイトルが着信音タイトルとして設定されフラッシュメモリ３５に記憶され（ステップＳ１１３）、着信音設定処理が終了する。
【０１３４】
そして、ＨＤＤ１３に、車載機１０が優先設定されている旨が記憶されている場合には、車載機１０において、通常のプレイリスト生成及び再生動作がなされ、移動体電話機３０で着信音再生される。具体的には、車載機１０において、第２のプレイリスト自動生成処理、第１のプレイリスト再生処理が実行され、移動体電話機３０において第２の着信音再生処理が実行される。
【０１３５】
また、ＨＤＤ１３に、移動体電話機３０が優先設定されている旨が記憶されている場合には、第１の実施の形態と同様に、車載機１０において、第１の着信音タイトル保存処理、第１のプレイリスト自動生成処理、第１のプレイリスト再生処理、第１の着信音再生処理が実行される。
【０１３６】
以上、本実施の形態によれば、楽曲再生を優先させる機器を車載機１０にする場合に、車載機１０のＨＤＤ１３に記憶されていない楽曲ファイルの楽曲を着信音として移動体電話機３０に設定するので、車載機１０において通常に楽曲再生しても、移動体電話機３０に設定された着信音タイトルの楽曲が車載機１０で再生されることを防ぐことができ、操作者が着信音を通常再生時の楽曲と混同することなく、着信を確実に認識させることができる。
【０１３７】
また、楽曲再生を優先させる機器として車載機１０又は移動体電話機３０を選択できるので、車載機１０の楽曲再生を優先して、車載機１０に記憶された楽曲ファイルの楽曲を着信音として再生することを防ぐことができ、また移動体電話機３０の楽曲（着信音）再生を優先して、移動体電話機３０に設定された着信音タイトルの楽曲が車載機１０で再生されることを防ぐことができ、多様な楽曲再生構成をとることができる。
【０１３８】
なお、上記各実施の形態における記述は、本発明に係る楽曲再生装置、楽曲再生システム及び楽曲再生プログラムの一例であり、これに限定されるものではない。
【０１３９】
例えば、上記各実施の形態においては、ＨＤＤ１３に記憶されている楽曲ファイルを再生する構成であったが、これに限定されるものではない。例えば、ＣＤ（Compact Disc）、ＣＤ−Ｒ／ＲＷ（Recordable／ReWriteable）、ＭＤ（Mini Disc）、ＤＶＤ（Digital Versatile Disc）、ＤＶＤ−Ｒ／ＲＷ、青色レーザを用いる次世代高密度情報記録媒体、フラッシュメモリを利用したメモリキー、メモリカード等の記録媒体等の記憶手段に記憶された楽曲ファイルを再生する構成としてもよい。但し、楽曲ファイルは、楽曲の音声データと、その音声データを識別するための識別情報とが関連付けられているものとする。
【０１４０】
また、上記各実施の形態においては、楽曲ファイルのタイトルを用いて、着信音に設定した楽曲と、記録媒体に記録された楽曲と、の一致／不一致を判別する構成を説明したが、これに限定されるものではない。例えば、タイトルが同じでもメロディが異なる楽曲も存在するおそれがあるため、上記一致／不一致の判別が不正確となる場合がある。このことを踏まえて、楽曲のタイトル、作詞者、作曲者、編曲者、演奏者、歌手等の識別情報のうちの少なくとも一つを用いて、上記一致／不一致を判別する構成としてもよい。
【０１４１】
また、上記各実施の形態においては、自動的にプレイリストを生成する構成を説明したが、これに限定されるものではない。例えば、車載機１０，１０Ａにおいて、操作者による入力部１６を介した操作入力により、所望の楽曲のタイトルが操作入力され、その入力した楽曲のタイトルを含むプレイリストが生成される構成としてもよい。このとき、例えば、操作者が誤って着信音の楽曲のタイトルを入力すると、着信音の楽曲のタイトルである旨の警告を表示部１７に表示して、プレイリストに含めることを禁止する構成にすることが好ましい。この構成によれば、所望の楽曲のタイトルを含むプレイリストを生成できるとともに、そのプレイリストから着信音のタイトルを除くことができる。
【０１４２】
また、上記各実施の形態においては、楽曲再生装置として車両に搭載する車載機１０，１０Ａを説明したが、これに限定されるものではなく、船、航空機等の移動体に適用する構成としてもよい。
【０１４３】
また、上記第５の実施の形態においては、着信音を移動体電話機３０で再生する構成としたが、これに限定されるものではなく、車載機１０及び移動体電話機３０の両方で着信音再生を行う構成としてもよい。
【０１４４】
また、上記第６の実施の形態においては、着信音候補の判別、一覧表示及び選択入力を車載機１０で行う構成としたが、これに限定されるものではなく、移動体電話機３０で行う構成としてもよい。
【０１４５】
さらに、上記各実施の形態の少なくとも２つを適宜組み合わせる構成としてもよい。
【０１４６】
その他、上記各実施の形態における楽曲再生システム１００，１００Ａの細部構成、および詳細動作に関しても、本発明の趣旨を逸脱しない範囲で適宜変更可能である。
【図面の簡単な説明】
【０１４７】
【図１】本発明に係る実施の形態の楽曲再生システム１００の構成を示すブロック図である。
【図２】移動体電話機３０の構成を示すブロック図である。
【図３】第１の着信音タイトル保存処理を示すフローチャートである。
【図４】第１のプレイリスト自動生成処理を示すフローチャートである。
【図５】第１のプレイリスト再生処理を示すフローチャートである。
【図６】第１の着信音再生処理を示すフローチャートである。
【図７】第２のプレイリスト自動生成処理を示すフローチャートである。
【図８】第２のプレイリスト再生処理を示すフローチャートである。
【図９】楽曲再生システム１００Ａの構成を示すブロック図である。
【図１０】第２の着信音タイトル保存処理を示すフローチャートである。
【図１１】第２の着信音再生処理を示すフローチャートである。
【図１２】（ａ）は着信音決定処理を示すフローチャートであり、（ｂ）は着信音設定処理を示すフローチャートである。
【符号の説明】
【０１４８】
１００  楽曲再生システム
１０  車載機
１１  ＣＰＵ
１２  Ｉ／Ｆ
１３  ＨＤＤ
１４  着信音タイトル保存部
１５  プレイリスト保存部
１６  入力部
１７  表示部
１８  ＲＡＭ
１９  音声出力部
３０  移動体電話機
３１  ＣＰＵ
３２  入力部
３３  ＲＡＭ
３４  表示部
３５  フラッシュメモリ
３６  通信部
３６ａ  アンテナ
３７  ＲＯＭ
３８  Ｉ／Ｆ
３９  通話部
４０  音声出力部
４１  バス
【図１】
2006277827.tif 000003
【図２】
2006277827.tif 000004
【図３】
2006277827.tif 000005
【図４】
2006277827.tif 000006
【図５】
2006277827.tif 000007
【図６】
2006277827.tif 000008
【図７】
2006277827.tif 000009
【図８】
2006277827.tif 000010
【図９】
2006277827.tif 000011
【図１０】
2006277827.tif 000012
【図１１】
2006277827.tif 000013
【図１２】
2006277827.tif 000014